(57)【特許請求の範囲】
【請求項１】
絶縁操作棒２により回転自在とされた電線挿入用開口部３付き中空回転体１と、該中空回転体１の先端に取付け板４を介して順次設けられたテ−プ装着軸１０およびガイドロ−ラ１５と、テ−プを巻付け方向に圧接せしめるべく電線挿入用開口部３に対応して付設された圧接ロ−ラ７と、該ガイドロ−ラ１５に揺動ア−ム１８を介して揺動自在に付設されたフリクションロ−ラ１７とよりなり、上記フリクションロ−ラ１７の揺動ア−ム１８は所要のネジ孔２４に螺合された略ボルト状の制御軸２１を介して揺動制御されると共にその揺動レベルが調整自在とされ、かつ、該制御軸２１には揺動ア−ム１８の自由端をガイドロ−ラ１５方向に付勢せしめる付勢バネ２６が設けられてなることを特徴とする、活線用テ−プ巻付け工具。
【発明の詳細な説明】
【０００１】
【発明の属する技術分野】
この発明は活線用テ−プ巻付け工具に関し、更に詳細には、架空配電線の切分け作業や切断復旧作業において、直線接続部位を絶縁防護せしめるべく被嵌した直線スリ−ブカバ−の両端に自己融着テ−プ等を間接活線工法でもって巻付けるさいに使用する活線用テ−プ巻付け工具に関する。
【０００２】
【従来の技術】
従来より、例えば、架空配電線の切分け作業や切断復旧作業において、所要の直線接続部位を絶縁防護せしめるべく直線スリ−ブカバ−を装着せしめるさいには、直線接続部位に直線スリ−ブカバ−を被嵌せしめたのち、その両端部を自己融着テ−プ等でもって半幅重ね巻状に巻回せしめ、絶縁性や防水性を確保するものとされている。
【０００３】
ところで、かかる自己融着テ−プ等を間接活線工法により巻付ける工具としては、所要のケ−ス体に電線挿入用開口部付き中空回転体が駆動機構を介して回転自在に装着されると共に、該中空回転体にはブラケットを介してテ−プ装着ア−ムと付勢バネ付き揺動ア−ムが対向状に取付けられ、かつ、該揺動ア−ムの先部にはフリクションロ−ラが枢着されてなるものが知られている（実開平３−３０７１３号公報参照）。
そして、かかるテ−プ巻付け工具は、中空回転体に開閉部を介して所要の電線を挿入せしめたのち、駆動機構により中空回転体を所定方向に回転作動せしめ、テ−プ装着ア−ムより順次巻戻される自己融着テ−プにフリクションロ−ラでもってバックテンションを付与せしめつつ巻付け作業を行うものとされている。
【０００４】
【発明が解決しようとする課題】
しかしながら、上述の如く構成されたテ−プ巻付け工具は、付勢バネにより揺動ア−ムを介してフリクションロ−ラを付勢せしめつつ、自己融着テ−プにバックテンションを付与せしめるものであるから、必然的に自己融着テ−プの巻回外径に応じてバックテンションの強さが相違するものである。このため、装着された自己融着テ−プの巻回外径が大、即ち、巻付け作業の初期段階においてはバックテンションが非常に強い反面、巻付け作業の進展に伴って漸次巻回外径が小さくなる自己融着テ−プに連動してバックテンションも次第に強くなるものであって、常に不均一なバックテンションでもって巻付け作業を行なわざるを得ないものであり、ひいては、巻付けが不十分となって絶縁性や防水性などの面において電気的に不都合を生じやすいものである。また、外気温等の変化により自己融着テ−プの粘性および硬度に差が生じるため、バックテンションの強弱を常に適性に調整しなければならず、その調整作業が非常に面倒で煩しいものとなっていた。さらに、フリクションロ−ラは揺動ア−ムを介して付勢バネにより常時バックテンションを付与せしめるものとされているから、薄肉の自己融着テ−プやバックテンションを必要としないビニルテ−プやポリエチレンテ−プ等の絶縁テ−プには適用しずらいものである。
【０００５】
この発明は、従来の問題点を解決しようとするもので、自己融着テ−プに常に安定した一定のバックテンションを付与せしめつつ巻付け作業を迅速、かつ、確実に行うことが出来るのみならず、バックテンションの強さを自由に調整して外気温等の変化や薄肉の自己融着テ−プに対応せしめたり、あるいは、ビニルテ−プ等殆んどバックテンションを必要とされない絶縁テ−プの巻付けにも十分適用せしめることができ、また、巻付け個所がテ−パ状とされてなる直線スリ−ブカバ−においても安定的に巻付けることが出来るものであって、常に絶縁性や防水性など電気的な面において優れた巻付け機能を有効に発揮せしめることが出来る活線用テ−プ巻付け工具を提供するものである。
【０００６】
【課題を解決するための手段】
即ち、この発明は、絶縁操作棒２により回転自在とされた電線挿入用開口部３付き中空回転体１と、該中空回転体１の先端に取付け板４を介して順次設けられたテ−プ装着軸１０およびガイドロ−ラ１５と、テ−プを巻付け方向に圧接せしめるべく電線挿入用開口部３に対応して付設された圧接ロ−ラ７と、該ガイドロ−ラ１５に揺動ア−ム１８を介して揺動自在に付設されたフリクションロ−ラ１７とよりなり、上記フリクションロ−ラ１７の揺動ア−ム１８は所要のネジ孔２４に螺合された略ボルト状の制御軸２１を介して揺動制御されると共にその揺動レベルが調整自在とされ、かつ、該制御軸２１には揺動ア−ム１８の自由端をガイドロ−ラ１５方向に付勢せしめる付勢バネ２６が設けられてなることを特徴とする、活線用テ−プ巻付け工具を要旨とするものである。
【０００７】
【発明の実施の形態】
中空回転体１を所要の絶縁操作棒２に回転自在に取付ける。そして、巻回状の自己融着テ−プＡをテ−プ装着軸１０に装着せしめたのち、該自己融着テ−プＡを若干巻戻してガイドロ−ラ１５とフリクションロ−ラ１７との間隙を挿通せしめ、その先端を仮止め部材９に緩く仮止めする。次いで、ネジ孔２４に対する制御軸２１のねじ込み量を調節して揺動ア−ム１８の揺動レベルを調整し、フリクションロ−ラ１７をガイドロ−ラ１５方向に付勢せしめて自己融着テ−プＡに適正なバックテンションを付与せしめる。しかるのち、直線スリ−ブカバ−２７でもって電線２９の直線接続部位２８を被嵌せしめ、直線スリ−ブカバ−２７の一端縁側に位置する電線２９部位を電線挿入用開口部３より中空回転体１内に挿入せしめると共に、絶縁操作棒２により中空回転体１を所定方向に回転作動せしめる。そして、中空回転体１の回転作動により、テ−プ装着軸１０より自己融着テ−プＡを順次巻戻してフリクションロ−ラ１７によりバックテンションを付与せしめつつ、直線スリ−ブカバ−２７の端縁より順次直線部にかけて自己融着テ−プＡを圧接ロ−ラ７により圧接しながら半幅重ね巻状に巻回せしめ、常に絶縁性や防水性など電気的な面において優れた巻付け作業を行うことが出来る。
【０００８】
また、ビニルテ−プなど殆んどバックテンションを必要としない絶縁テ−プの巻付けに使用する場合には、ネジ孔２４に対する制御軸２１のねじ込み量を調節して揺動ア−ム１８の揺動レベルを調整せしめ、フリクションロ−ラ１７をガイドロ−ラ１５より所要の間隙をもって離間せしめることによりバックテンションの付与を停止せしめることが出来る。
【０００９】
【実施例】
以下に、この発明を図面に示す一実施例について説明する。
１は公知の絶縁操作棒２により回転作動自在とされた所要の長さを有する中空回転体、３は該中空回転体１の長手方向に沿って形成された電線挿入用開口部、４は中空回転体１の一端部に取付けア−ム５を介して直交状に固着された略三角形状の取付け板、６は中空回転体１の内周縁に対応すべく該取付け板４の一側縁に切欠き形成された電線嵌合部、７は肉厚の自己融着テ−プＡを巻付け方向に圧接せしめるべく該電線嵌合部６縁に回転自在に取付けられた弾性を有する圧接ロ−ラ、８は該圧接ロ−ラ７の取付け軸、９は自己融着テ−プＡの先端部を一時的に緩く仮止めすべく圧接ロ−ラ７に隣接して取付けられた長短２個のピンよりなる仮止め部である。
【００１０】
１０は前記取付け板４の一端面に取付けボルト１１を介して取付けられた略円柱状のテ−プ装着軸、１２は取付けボルト１１の先部に付勢バネ１３を介して回転自在に取付けられた偏心溝孔１４付きテ−プ抜止め片である。１５はテ−プ装着軸１０に装着せしめた自己融着テ−プＡを中空回転体１のほぼ中心方向にガイドせしめるべく取付け板４に取付け軸１６を介して回転自在に取付けられたガイドロ−ラ、１７は自己融着テ−プＡにバックテンションを付与せしめるべく揺動ア−ム１８を介して該ガイドロ−ラ１５に回転自在に付設されたフリクションロ−ラ、１９は該フリクションロ−ラ１７の取付け軸、２０は揺動ア−ム１８の基端部を枢着せしめる枢軸、２１は揺動ア−ム１８の自由端に切欠き形成された略Ｕ字形状の嵌合溝２２を介して係合された頭部２３付きボルト状の制御軸で、該制御軸２１は前記枢軸２０の軸線方向と直交すべく取付けア−ム５のネジ孔２４にネジ込み・ネジ戻し自在に螺合されている。２５は揺動ア−ム１８の自由端を所定の位置に停止せしめるべく該制御軸２１のほぼ中位に固着されたストッパ−、２６は揺動ア−ム１８の自由端を常時ガイドロ−ラ１５方向に付勢せしめるべく制御軸２１の頭部２３がわに巻装された付勢バネである。そして、上記の制御軸２１はネジ孔２４にネジ込み、また、ネジ戻すことによりそのねじ込み量を調節して揺動ア−ム１８の揺動レベルを自由に調整せしめると共に、付勢バネ２６の付勢に抗してストッパ−２５と頭部２３との間を揺動せしめて自己融着テ−プＡに適性なバックテンションを付与せしめるものとされている。
【００１１】
その他、２７は両端部がテ−パ状とされてなる直線スリ−ブカバ−、２８は電線２９の直線接続部位を示す。
【００１２】
次に、上述の如く構成された実施例の作動について説明する。
まず、中空回転体１を絶縁操作棒２に回転自在に取付ける。そして、巻回状の自己融着テ−プＡをテ−プ装着軸１０に装着せしめると共に、制御軸２１を所定方向に回転してネジ戻し、揺動ア−ム１８を介してフリクションロ−ラ１７をガイドロ−ラ１５より離間せしめることにより両者の間に所定の隙間を形成する。次いで、テ−プ装着軸１０より自己融着テ−プＡを若干巻戻し、その先端をガイドロ−ラ１５とフリクションロ−ラ１７との隙間に当てがいつつガイドロ−ラ１５を手でもって回転せしめ、巻込み状に隙間を挿通して圧接ロ−ラ７の外周面に沿わせつつ仮止め部９に緩く仮止めする。このさい、仮止めされた自己融着テ−プＡの先部は、中空回転体１のほぼ中心線上に位置するものとされている。自己融着テ−プＡの仮止めが完了すると、再び制御軸２１を所要の方向に回転せしめ、揺動ア−ム１８の自由端を所定の揺動レベルに設定する。そして、付勢バネ２６により揺動ア−ム１８を介してフリクションロ−ラ１７をガイドロ−ラ１５方向に付勢せしめ、自己融着テ−プＡに適性なバックテンションを付与せしめる。
【００１３】
しかるのち、図４に示すように、直線スリ−ブカバ−２７でもって電線２９の直線接続部位２８を被嵌せしめ、直線スリ−ブカバ−２７の一端がわに位置する電線２９部位を電線挿入用開口部３より中空回転体１内に挿入保持せしめる。このさい、仮止めされた自己融着テ−プＡの先部は電線２９の外周に当てがうものとされている。次いで、絶縁操作棒２を順次前進せしめつつ作動せしめて中空回転体１を所定方向に回転せしめる。すると、中空回転体１の回転作動に伴って自己融着テ−プＡはテ−プ装着軸１０より順次巻戻されつつ、テ−パ状とされた直線スリ−ブカバ−２７の一端縁よりその直線部にかけて圧接ロ−ラ７により圧接されつつ半幅重ね巻き状に巻付き始める。
このさい、ガイドロ−ラ１５により巻付け方向にガイドされた自己融着テ−プＡは、付勢バネ２６により揺動ア−ム１８を介して揺動自在に付勢されたフリクションロ−ラ１７でもって常に適正なバックテンションが付与せしめられているため、その巻付けを確実に行うことが出来る。
【００１４】
以下同様に、絶縁操作棒２を順次前進せしめつつ作動せしめ、中空回転体１を回転して自己融着テ−プＡを半幅重ね巻き状に巻付ける。そして、巻付けが完了すると、自己融着テ−プＡをカッタ−で切断せしめたのち、巻付け端をヤットコで押圧し、巻付け作業を終了する（図５参照）。
【００１５】
なお、上記実施例において、ビニルテ−プなど殆んどバックテンションを必要としない絶縁テ−プの巻付け時においては、制御軸２１をネジ戻して揺動ア−ム１８の揺動レベルを適正に調整せしめ、フリクションロ−ラ１７をガイドロ−ラ１５より離間せしめることにより両者の間に所定の隙間を形成してバックテンションの付与を停止せしめるとよい。
【００１６】
【発明の効果】
この発明によれば以上の次第で、絶縁操作棒２により回転自在とされた電線挿入用開口部３付き中空回転体１と、該中空回転体１の先端に取付け板４を介して順次設けられたテ−プ装着軸１０およびガイドロ−ラ１５と、テ−プを巻付け方向に圧接せしめるべく電線挿入用開口部３に対応して付設された圧接ロ−ラ７と、該ガイドロ−ラ１５に揺動ア−ム１８を介して揺動自在に付設されたフリクションロ−ラ１７とよりなり、上記フリクションロ−ラ１７の揺動ア−ム１８は所要のネジ孔２４に螺合された略ボルト状の制御軸２１を介して揺動制御されると共にその揺動レベルが調整自在とされ、かつ、該制御軸２１には揺動ア−ム１８の自由端をガイドロ−ラ１５方向に付勢せしめる付勢バネ２６が設けられているから、制御軸２１でもって揺動ア−ム１８の揺動レベルを適正に調整し、フリクションロ−ラ１７を付勢バネ２６でもってガイドロ−ラ１５方向に揺動自在に付勢せしめつつ、テ−プ装着軸１０より順次巻戻される自己融着テ−プＡに安定した一定のバックテンションを付与せしめると共に、圧接ロ−ラ７により圧接しながら巻付け作業を迅速、かつ、確実に行うことが出来るのみならず、制御軸２１でもってフリクションロ−ラ１７によるバックテンションの強さを自由に調整して外気温などの変化に対応せしめたり、あるいは、ビニルテ−プ等殆んどバックテンションを必要とされない絶縁テ−プの巻付けにも十分適用せしめることができ、また、巻付け個所がテ−パ状とされてなる直線スリ−ブカバ−２７においても圧接ロ−ラ７により圧接しながら安定的に巻付けることが出来るものであって、常に絶縁性や防水性など電気的な面において優れた巻付け機能を有効に発揮せしめることが出来る。
【図面の簡単な説明】
【図１】  この発明の一実施例を示す破砕断面図である。
【図２】  同使用状態を示す側面図である。
【図３】  同使用状態を示す正面図である。
【図４】  直線スリ−ブカバ−２７による直線接続部位２８の被嵌状態を示す側面図である。
【図５】  自己融着テ−プＡを巻付けた状態を示す側面図である。
【符号の説明】
１    中空回転体
２    絶縁操作棒
３    電線挿入用開口部
４    取付け板
７ 圧接ロ−ラ
１０  テ−プ装着軸
１５  ガイドロ−ラ
１７  フリクションロ−ラ
１８  揺動ア−ム
２１  制御軸
２４  ネジ孔
２６  付勢バネ
２７  直線スリ−ブカバ−
２８  直線接続部位
２９  電線
Ａ 自己融着テ−プ
【図１】
0003794741.tif 000002
【図２】
0003794741.tif 000003
【図３】
0003794741.tif 000004
【図４】
0003794741.tif 000005
【図５】
0003794741.tif 000006